(57)【特許請求の範囲】
【請求項１】
取出口に家庭用衛生薄葉紙を支持するためのフィルムを有しない家庭用衛生薄葉紙の収納箱であって、
前記収納箱上面に環状に連続する裂開用ミシン目を有し、その裂開用ミシン目区域内が開封片とされ、この開封片の全体を取り除くことにより開封片と同形状の取出口全体が形成され、
その開封片を取り除くことにより形成される取出口の形状が、収納箱の長手方向中央から長手方向両端側に向かうにつれて幅が緩やかな曲線をもって漸増し、両端近くにおいて幅が最大となり、更に両端に近づくにつれて幅が急峻な曲線をもって長手方向端まで漸減し、両端縁が収納箱の長手方向外方に向かって凸の円弧状の曲線をなす形状であり、
その取出口の幅の最大となる部分から両端までの部分が幅２０〜４５ｍｍ、長さ１５〜５０ｍｍの指挿入部とされ、
かつ、前記取出口の前記収納箱の長手方向中央から両端近くの幅が最大となる部分までの対向縁を縁とする、長手方向の中央に向かって緩やかな曲線をもって一様に膨らむ形状であって、相互間が離間されている、取出口から引き出された家庭用衛生薄葉紙の両面に対向して家庭用衛生薄葉紙を支持する、一対の支持部を有し、
その支持部の縁よりも収納箱の幅方向外方位置に収納箱長手方向に沿いかつ両端が前記取出口に連続する起立用圧搾線がそれぞれ形成され、その起立用圧搾線を起線として支持部がそれぞれ上方に起立可能とされ、
かつ、取出口の最大幅に対する支持部の縁相互間の最狭離間幅の割合が１６〜４０％であり、支持部の縁相互間の最狭離間幅が３．２ｍｍ以上であり、
さらに、前記裂開用ミシン目が、カット部及びタイ部からなる内側ミシン目と外側ミシン目とからなる二重ミシン目であって、裂開した際の切断線が前記内側ミシン目と前記外側ミシン目のカット部を交互に行き来するように構成され、
その外側ミシン目と内側ミシン目との間隔が１ｍｍ以下であり、かつ内側ミシン目におけるタイ部の長さに対するカット部の長さの比が１．０〜１０．０であり、外側ミシン目におけるタイ部の長さに対するカット部の長さの比が１．０〜０．１であり、
前記指挿入部となる部分は、内側ミシン目がカット部の長さを長く形成され、外側ミシン目がカット部の長さを内側ミシン目よりも短くしながら形成され、かつ内側ミシン目のタイ部の外方に外側ミシン目のカット部が位置するように形成され、
前記支持部となる部分は、内側ミシン目および外側ミシン目をともにカット部の長さとタイ部の長さとを同じとしながら、それぞれのミシン目のカット部が千鳥状となるように内側ミシン目と外側ミシン目とを均等に形成されている、
ことを特徴とする家庭用衛生薄葉紙の収納箱。
【請求項２】
収納箱長辺に対する前記取出口の長さの割合を６５〜８７％としてなる請求項１記載の家庭用衛生薄葉紙の収納箱。
【請求項３】
収納箱短辺に対する前記取出口の最大幅の割合を１６〜５０％とし、かつ前記取出口の最大幅を３８ｍｍ以上としてなる請求項１記載の家庭用衛生薄葉紙の収納箱。
【発明の詳細な説明】
【技術分野】
【０００１】
本発明は、この取出口に、家庭用衛生薄葉紙を支持するためのフィルムを有しないフィルムレスタイプの家庭用衛生薄葉紙の収納箱に関するものである。
【背景技術】
【０００２】
従来、家庭用衛生薄葉紙の収納箱は、製品状態の家庭用衛生薄葉紙の収納箱の上面に略長方形状にミシン目が形成されており、このミシン目により囲まれた開封片を切り取ることにより取出口が開口されるように構成されている。また、取出口は長手方向に沿うスリットを有する樹脂製フィルムにより塞がれており、箱内から引き出された家庭用衛生薄葉紙がスリット間に支持されるように構成されている。なお、開封片の端部に形成された円弧状の切取り部は、開封を引き裂く際に指を差し込むための指先挿入部である。
【０００３】
このような樹脂製フィルムが取り付けられていると、焼却処分上、有害ガスが発生する等の問題があるため、最近ではフィルムの無いフィルムレスタイプのものが市販されるようになってきている。
【０００４】
しかしながら、従来のフィルムレスタイプの収納箱では、取出口の両脇の部分により引き出した家庭用衛生薄葉紙を支持するために、実開昭６３−１４４４９２号では、長手方向両端部に起立板部を形成し、引き出された家庭用衛生薄葉紙の落ち込みを防止している。このために、４つの切れ目と４つのミシン目を形成しており、４つのミシン目を注意深く切取り、長手方向両端部の起立板部を起こすという複雑な操作が必要であるばかりでなく、起立板部による、引き出された家庭用衛生薄葉紙の落ち込みを防止効果は未だ解消されていないことが知見された。
【発明の開示】
【発明が解決しようとする課題】
【０００５】
そこで、本発明の主たる課題は、開口操作が簡易であり、しかも、引き出された家庭用衛生薄葉紙の落ち込みを防止する効果が高いフィルムレスタイプの家庭用衛生薄葉紙の収納箱を提供することにある。
【課題を解決するための手段】
【０００６】
上記課題を解決した本発明は次記のとおりである。
＜請求項１＞
取出口に家庭用衛生薄葉紙を支持するためのフィルムを有しない家庭用衛生薄葉紙の収納箱であって、
前記収納箱上面に環状に連続する裂開用ミシン目を有し、その裂開用ミシン目区域内が開封片とされ、この開封片の全体を取り除くことにより開封片と同形状の取出口全体が形成され、
その開封片を取り除くことにより形成される取出口の形状が、収納箱の長手方向中央から長手方向両端側に向かうにつれて幅が緩やかな曲線をもって漸増し、両端近くにおいて幅が最大となり、更に両端に近づくにつれて幅が急峻な曲線をもって長手方向端まで漸減し、両端縁が収納箱の長手方向外方に向かって凸の円弧状の曲線をなす形状であり、
その取出口の幅の最大となる部分から両端までの部分が幅２０〜４５ｍｍ、長さ１５〜５０ｍｍの指挿入部とされ、
かつ、前記取出口の前記収納箱の長手方向中央から両端近くの幅が最大となる部分までの対向縁を縁とする、長手方向の中央に向かって緩やかな曲線をもって一様に膨らむ形状であって、相互間が離間されている、取出口から引き出された家庭用衛生薄葉紙の両面に対向して家庭用衛生薄葉紙を支持する、一対の支持部を有し、 
その支持部の縁よりも収納箱の幅方向外方位置に収納箱長手方向に沿いかつ両端が前記取出口に連続する起立用圧搾線がそれぞれ形成され、その起立用圧搾線を起線として支持部がそれぞれ上方に起立可能とされ、
かつ、取出口の最大幅に対する支持部の縁相互間の最狭離間幅の割合が１６〜４０％であり、支持部の縁相互間の最狭離間幅が３．２ｍｍ以上であり、
さらに、前記裂開用ミシン目が、カット部及びタイ部からなる内側ミシン目と外側ミシン目とからなる二重ミシン目であって、裂開した際の切断線が前記内側ミシン目と前記外側ミシン目のカット部を交互に行き来するように構成され、
その外側ミシン目と内側ミシン目との間隔が１ｍｍ以下であり、かつ内側ミシン目におけるタイ部の長さに対するカット部の長さの比が１．０〜１０．０であり、外側ミシン目におけるタイ部の長さに対するカット部の長さの比が１．０〜０．１であり、
前記指挿入部となる部分は、内側ミシン目がカット部の長さを長く形成され、外側ミシン目がカット部の長さを内側ミシン目よりも短くしながら形成され、かつ内側ミシン目のタイ部の外方に外側ミシン目のカット部が位置するように形成され、
前記支持部となる部分は、内側ミシン目および外側ミシン目をともにカット部の長さとタイ部の長さとを同じとしながら、それぞれのミシン目のカット部が千鳥状となるように内側ミシン目と外側ミシン目とを均等に形成されている、
ことを特徴とする家庭用衛生薄葉紙の収納箱。
【０００７】
（作用効果）
かかる形態においては、長手方向両端部に形成された指挿入部内に指先を押し込み挿入して裂開用ミシン目の一端部を裂開し、その一端部を摘みながら開封片を収納箱上面から連続的に分離し取り除くことで取出口を形成できる。その後、支持部を起立用圧搾線を起線としてそれぞれ上方斜めに起立させることで、最終的に取出口の形状を保持できる。
【０００８】
支持部の縁の相互間は、離間しており、各支持部の縁は長手方向の中央に向かって緩やかな曲線をもって一様に膨らむ形状をなしている。したがって、長手方向両端部に形成された指挿入部は指の挿入のために幅広であり、引き出された家庭用衛生薄葉紙の両面を挟む機能はないとしても、支持部を起立用圧搾線を起線としてそれぞれ上方斜めに起立させた状態において、狭い支持部の中央部分の縁の相互間で、引き出された家庭用衛生薄葉紙の両面を挟むように保持できるので、引き出された家庭用衛生薄葉紙の落ち込みを防止する効果が高いものとなる。
【０００９】
しかも、支持部がそれぞれ上方斜めに起立させ、収納箱上面より突出させているので、引き続いて引き出された家庭用衛生薄葉紙の先端部は、その支持部の中央部分の縁にもたれ掛かるようになり、収納箱内への落ち込みを防止する効果が高い。この点に関連してさらに説明すると、支持部を起立させない場合においては、引き続いて引き出された家庭用衛生薄葉紙の先端部はそのまま自重により、支持部の中央部分の縁相互の離間部分を通って収納箱内に潜り込むことが多いのに対し、支持部がそれぞれ上方斜めに起立させ、収納箱上面より突出させると、引き続いて引き出された家庭用衛生薄葉紙の先端部は自重により落下する過程で多くの場合一方の側に撓み傾向がある（特にポップアップのために食い違い形態で薄葉紙は積層しているから、引き続いて引き出された家庭用衛生薄葉紙の折り返し部分の先端部が向かう方向に向いて垂れ下がる傾向がある）ので、撓んだ薄葉紙の先端部が一方の支持部の中央部分の縁を覆うようにもたれ掛かるようになるので、収納箱内に潜り込むことが防止されるのである。
【００１０】
ここで、各支持部の縁が直線状に形成し、これを斜めに起立させた場合を想定してみると、引き出して撓んだ薄葉紙の先端部が一方の支持部の縁を覆うようにもたれ掛かるとしても、薄葉紙の落下方向の分力は、その支持部の縁全体に対してほぼ均等に作用するので、引っかかりがなくそのまま収納箱内に潜り込むようになるのに対し、本発明では、各支持部の縁は長手方向の中央に向かって緩やかな曲線をもって一様に膨らむ形状をなしているから、主に支持部の縁の長手方向の中央部分に対しての薄葉紙の引っ掛かり力（摩擦力）が大きくなるために、そのまま収納箱内に潜り込むことを防止できる。
【００１１】
以上の説明から、本発明における各支持部の縁は長手方向の中央に向かって緩やかな曲線をもって一様に膨らむ形状をなしていること、起立用圧搾線を起線として支持部はそれぞれ上方に起立可能としたこと、との相関によってはじめて、引き出した薄葉紙の収納箱内への潜り込みを防止できるとの技術的意義が明らかとなろう。
【００１２】
【００１３】
また、本項記載のように二重ミシン目を採用すると、取出口の縁が凹凸とならず、滑らかに切断されるため、仮に、取出口の縁に指先が擦れた場合であっても、指が痛くなったり、傷ついたりし難くなる。また、フィルムレスタイプの収納箱においては、薄葉紙を取り出す際に、薄葉紙が取出口の縁に直に擦れるため、紙粉が発生したり、薄葉紙が破れたりするおそれがあるが、取出口の縁が滑らかとなるため、そのような問題は発生し難くなる。
前記指挿入部が、長さ１５ｍｍ以上かつ幅２０ｍｍ以上の部分をもって形成されていると、指の挿入のために必要な長さを確保できる。
また、支持部の縁相互間の最狭離間幅が６．０８ｍｍ未満であると、開封片の取り除くとき開封片が破断するおそれがある。前記の割合が１６％未満である、すなわち支持部の縁の膨出曲線が急であると、薄葉紙を引き出す際の滑らかさが阻害される。前記の割合が４０％超えると、すなわち支持部の縁の膨出曲線が緩やかであると、支持部の縁の長手方向の中央部分に対しての薄葉紙の引っ掛かり力（摩擦力）が充分でなく、そのまま収納箱内に潜り込むおそれがある。
【００１４】
【００１５】
【００１６】
【００１７】
＜請求項２＞
収納箱長辺に対する前記取出口の長さの割合を６５〜８７％としてなる請求項１記載の家庭用衛生薄葉紙の収納箱。
【００１８】
（作用効果）
直方体状をなす一般的な家庭用衛生薄葉紙の収納箱においては、取出口の幅は本項記載の範囲内にあるのが好ましい。
【００１９】
＜請求項３＞
収納箱短辺に対する前記取出口の最大幅の割合を１６〜５０％とし、かつ前記取出口の最大幅を３８ｍｍ以上としてなる請求項１記載の家庭用衛生薄葉紙の収納箱。
【００２０】
（作用効果）
取出口の幅と支持部の幅とのサイズ比は本項記載の範囲内にあるのが好ましい。
【００２１】
【００２２】
【００２３】
【００２４】
【発明の効果】
【００２５】
以上のとおり本発明によれば、前述の作用効果を要すれば、開口操作が簡易であり、しかも、引き出された家庭用衛生薄葉紙の落ち込みを防止する効果が高いフィルムレスタイプの家庭用衛生薄葉紙の収納箱を提供することができる。
【発明を実施するための最良の形態】
【００２６】
以下、本発明の一実施形態について添付図面を参照しながら詳説する。
図１は本発明に係る家庭用衛生薄葉紙の収納箱（開封前）の斜視図であり、図２は開封後の取出口部分の平面拡大図である。この家庭用衛生薄葉紙の収納箱１は略直方体状をなし、その上面１Ａには、家庭用衛生薄葉紙の取出口２を形成するために、取出口２形状に沿って裂開用ミシン目３が形成されている。この裂開用ミシン目３が形成された領域内が開封片４となり、この開封片４が前記裂開用ミシン目３を裂開することにより使用開始時に取り除かれ、内部に収容された家庭用衛生薄葉紙を取出すための取出口２が形成される。
【００２７】
本発明はフィルムレスタイプに関するものであり、取出口２にはフィルムが貼られていない。また取出口２の形状は、長手方向中間に家庭用衛生薄葉紙の支持部２Ａを有するとともに、長手方向の両端部には、中間部よりも幅広に形成された、長さｙが１５ｍｍ以上かつ幅Ｗ１が２０ｍｍ以上の部分を有する指挿入部２Ｂをそれぞれ有するものとなっている。
【００２８】
指挿入部２Ｂは、長さｙが１０ｍｍ以上の範囲にわたり幅Ｗ１が１５ｍｍ以上の部分を有するように形成したものが好ましく、特に長さｙが１５〜５０ｍｍかつ幅Ｗ１が２０〜４５ｍｍのサイズを有しているのが好ましい。
【００２９】
取出口２は、長手方向中央から両端側に向かうにつれて幅が緩やかな曲線をもって漸増し、両端近くにおいて幅が最大となり、更に両端に近づくにつれて幅が急峻な曲線をもって漸減している。両端縁は円弧状の曲線をなしている。
【００３０】
このような形状により、長手方向中間に家庭用衛生薄葉紙支持部２Ａが形成され、長手方向の両端部に指挿入部２Ｂがそれぞれ形成される。各支持部２Ａ、２Ａの縁は長手方向の中央に向かって緩やかな曲線をもって一様に膨らむ形状をなしている。
【００３１】
指挿入部２Ｂを円弧状の曲線に形成することで、無理なく指を挿入でき、容易に最初の一枚を引き出す等でき、指を傷付けることもない。
【００３２】
また、取出口２の幅方向両側には、両指挿入部２Ｂを結ぶ線に沿って圧搾部５が設けられており、この圧搾部５の幅方向中央側に位置するフラップ部分により取出口２から引き出された家庭用衛生薄葉紙を支持するための支持部２Ａが構成される。この場合、図３に示すように、圧搾部５を起線としてその幅方向中央側のフラップ部分１Ｆを箱内側から外側に向けて折り曲げて斜めに起立させ、この起立部分１Ｆ間で家庭用衛生薄葉紙１０を支持することができる。このとき、起立度合いの調整により、家庭用衛生薄葉紙１０の引き出し抵抗や支持力を使用者好みに調整できる。
【００３３】
圧搾部５は、図示のように連続線状に設けることができる他、断続的、例えば点線状に設けることもできる。また図示の圧搾部５は、直線状に設けているが、円弧状等の各種曲線状に設けることもできる。
【００３４】
取出口２のサイズは、収納箱１のサイズ・形状等に応じて適宜定めることができるが、通常の家庭用衛生薄葉紙の収納箱の場合、次のようにするのが好ましい。すなわち、取出口２の長さＬ１は、収納箱の長辺の長さＬ２に対して６５〜８７％、特に６９〜７９％とするのが好ましい。６５％未満では、取出口２が狭くなりすぎ、薄葉紙を取り出す際に破れ易くなり、８７％を超えると取出口２が広くなりすぎ、薄葉紙が支持されにくくなり、箱内に落ち込み易くなる。
【００３５】
また、取出口の最大幅Ｗ１は、少なくとも２０ｍｍ以上、好適には３８ｍｍ以上である。２０ｍｍ未満では指挿入部２Ｂとして機能しがたい。さらに、この幅を満たす範囲において、取出口の幅Ｗ１は収納箱１の短辺の長さＷ２に対して１６〜５０％、特に、１７〜３５％とするのが好ましい。１６％未満では、取出口が狭くなりすぎ、薄葉紙を取り出す際に破れ易くなり、５０％を超えると取出口が広くなりすぎ、薄葉紙が支持されにくくなり、箱内に落ち込み易くなる。
【００３６】
また、取出口２における支持部２Ａの最狭幅Ｗ３は、取出口２の最大幅Ｗ１に対して１６〜４０％、特に１７〜３５％であるのが好ましい。取出口２の最大幅Ｗ１に対して、支持部２Ａの最狭幅Ｗ３があまりに狭すぎると、取出口２の形状が急峻な曲線を有するようになり、円滑な家庭用衛生薄葉紙の取り出しが困難になる。したがって、最狭幅Ｗ３は、３．２ｍｍ（２０ｍｍ×０．１６）以上、好適には６．０８ｍｍ（３８ｍｍ×０．１６）以上である。
【００３７】
他方、裂開用ミシン目３は、通常の一重ミシン目でも良いが、取出口２の全周にわたり、カット部及びタイ部からなる内側ミシン目２０と外側ミシン目２１とからなり、裂開した際の切断線が前記内側ミシン目２０と外側ミシン目２１のカット部を交互に行き来するように、具体的には内側及び外側の各ミシン目のカット部２０ｂ、２１ｂが千鳥状配置とされた二重ミシン目として形成するのが好ましい。この二重ミシン目の具体例は図４及び図５に示されている。図示しないが、外側ミシン目２１のカット部２１ｂと、内側ミシン目２０のカット部２０ｂとに若干重ね代を持たせることもできる。
【００３８】
このような二重ミシン目を採用する場合、内側ミシン目２０と外側ミシン目２１の間隔ｄは、大き過ぎると開封片４を切取り除去する際に、単に内側ミシン目２０に沿って切断されることになるため、切断線が内側ミシン目２０と外側ミシン目２１間のカット部２０ｂ、２１ｂを交互に行き来しながら開封片４が確実にかつ綺麗に切断除去されるように、ｄ＝０．５〜１ｍｍ、好ましくは０．６〜０．８ｍｍ程度とするのがよい。
【００３９】
また、内側ミシン目２０におけるタイ部２０ａの長さＴ１に対するカット部２０ｂの長さＭ１の比Ｍ１／Ｔ１は１．０〜１０．０、特に１．０〜５．０、及び外側ミシン目２１におけるタイ部２１ａの長さＴ２に対するカット部２１ｂの長さＭ２の比Ｍ２／Ｔ２は１．０〜０．１、特に１．０〜０．２とするのが好ましい。
【００４０】
具体的には、図４に示すように、内側ミシン目２０をカット部２０ｂの長さを長く形成し、外側ミシン目２１をカット部２１ｂの長さを内側ミシン目よりも短くしながら形成し（つまりＭ１＞Ｍ２となるように形成し）、かつ内側ミシン目２０のタイ部２０ａの外方に外側ミシン目２１のカット部２１ｂが位置するように形成するのが好ましい。この場合、内側ミシン目２０におけるカット部２０ｂの長さＭ１は、外側ミシン目２１におけるカット部２１ｂの長さＭ２に対して１倍より大きく１０倍以下の範囲内で設計するのが好ましい。具体的には、内側ミシン目２０におけるカット部２０ｂの長さＭ１としては、１．０〜５．０ｍｍとするのが好ましく、タイ部２０ａの長さＴ１としては、０．５〜１．０ｍｍとするのが好ましい。また外側ミシン目２１におけるカット部２１ｂの長さＭ２としては、０．５〜１．０ｍｍとするのが好ましく、タイ部２１ａの長さＴ２としては、１．０〜５．０ｍｍとするのが好ましい。
【００４１】
このように内側ミシン目２０のカット部２０ｂによる裂開機能を支配的とし、外側ミシン目２１を補助的に構成することにより、裂開後における取出口２の縁に、一重のミシン目の場合に形成されるような突起が形成されなくなるため、指先が擦れた場合であっても傷つき難くなる。またそのため、指挿入部を可能な限り小さく設計することもできる。さらにこの場合、少ない力で簡単に裂開できるようになる。
【００４２】
またもちろん、図５に示すように、内側ミシン目２０および外側ミシン目２１をともにカット部２０ｂ、２１ｂの長さＭ１，Ｍ２とタイ部２０ａ、２１ａの長さＴ１，Ｔ２とを同じとしながら、それぞれのミシン目のカット部２０ｂ、２１ｂが千鳥状配置となるように内側ミシン目２０と外側ミシン目２１とを均等に形成することもできる。この場合であっても、一重ミシン目よりは格段に好ましい。
【００４３】
また、取出口２を指挿入部２Ｂと支持部２Ａとに区分し、それぞれ領域において二重ミシン目の形成態様を変えることができる。例えば指挿入部２Ｂにおいて傷防止性及び開封容易性を重視して図４に示されるミシン目を採用し、支持部２Ａにおいては図５に示すミシン目を採用するといったことができる。
【００４４】
他方、家庭用衛生薄葉紙の収納箱においては、図６に示されるように、開封片４の長手方向両端部に、開封片４を切取り除去する際に必要な指先挿入部６が形成される形態もあり、本発明でもこれを採用することができる。図示例の指先挿入部６では、指先孔形成のために９０度円弧状カット線６ｃ、６ｃを対とし、その中間にタイ部６ａを有する半円弧状のミシン目およびこの半円弧状ミシン目の半径線部分に形成された圧搾部６ｂとを有する構成となっている。開封片４の切取り除去に当たっては、指先挿入部６に対して、指先を押し込んだ後、指先を指先挿入部３に引っ掛けた状態のまま上方に引き上げ、ミシン目３に沿って裂開し除去する。この際、圧搾部６ｂにより指先挿入部６が開封片４本体に対して折り曲げられる。このような場合であっても、最初の一枚の家庭用衛生薄葉紙を取出口２から引き出す際等における指の挿入し易さや、指の傷つき難さといった本発明の効果が奏されることに変わりは無い。
【００４５】
＜その他＞
本発明の家庭用衛生薄葉紙の収納箱は、ボール紙のようなある程度の剛性を有する紙により形成するのが好ましいが、同程度の剛性を有する樹脂材により形成することもできる。
なお、図７は、取出口２が、その幅方向中心線に関して対象をなす波状の縁からなる雲形形状とされている、本発明に関連する参考形態である。
【００４６】
【００４７】
【００４８】
【図面の簡単な説明】
【００４９】
【図１】家庭用衛生薄葉紙の収納箱の斜視図である。
【図２】家庭用衛生薄葉紙の収納箱の平面図である。
【図３】家庭用衛生薄葉紙の収納箱の側面図である。
【図４】二重ミシン目部分の拡大平面図である。
【図５】二重ミシン目部分の拡大平面図である。
【図６】家庭用衛生薄葉紙の収納箱の平面図である。
【図７】家庭用衛生薄葉紙の収納箱の平面図である。
【符号の説明】
【００５０】
１…家庭用衛生薄葉紙の収納箱、２…取出口、２Ａ…支持部、２Ｂ…指挿入部、３…ミシン目、４…開封片、５…圧搾部。
【図１】
0005041806.tif 000002
【図２】
0005041806.tif 000003
【図３】
0005041806.tif 000004
【図４】
0005041806.tif 000005
【図５】
0005041806.tif 000006
【図６】
0005041806.tif 000007
【図７】
0005041806.tif 000008